(57)【要約】      （修正有）【課題】使用時において傘除水機への傘の挿入姿勢や挿入速度などの傘の挿入状態に影響されることなく、挿入される傘の長さに応じて石突保持部がスムーズに動き傘の石突を保持する傘除水機を得る。【解決手段】傘挿入口４と、傘挿入口４の近傍から本体３内の奥に向かって設けられた複数のレール１５に沿って移動する複数のブラケット１７と、ブラケット１７との相対位置を可変できる連結部を介して連結され複数の前記ブラケット１７と一体で連動する保持台１８と、保持台１８に設けられ傘１の石突１ｃを受ける石突保持部１２と、傘１に向かって空気を噴出するノズル１１とを備えていることを特徴とする傘除水機。【選択図】図１
2011145037.tif 000002
【特許請求の範囲】
【請求項１】
本体の上部に設けられ窄められた状態の傘を挿入する傘挿入口と、前記本体内に前記傘挿入口の近傍から前記本体内の奥に向かって設けられた複数のレールに沿って移動する複数のブラケットと、前記ブラケットとの相対位置を可変できる連結部を介して連結され複数の前記ブラケットと一体で連動する保持台と、前記保持台に設けられ前記傘挿入口から挿入される前記傘の石突を受けるとともに前記傘挿入口の近傍から前記本体内の奥へ移動する石突保持部と、前記傘挿入口から挿入された前記傘に向かって空気を噴出するノズルとを備えていることを特徴とする傘除水機。
【請求項２】
前記連結部は、前記ブラケットに設けられたブラケット側連結穴及び前記保持台に設けられた保持台側連結穴と、前記ブラケット側連結穴及び前記保持台側連結穴に差し込まれ前記ブラケットと前記保持台を連結する連結棒と、前記連結棒の軸方向の両側に設けられ前記ブラケット側連結穴及び前記保持台側連結穴よりも大きい脱落防止部とを備え、前記連結棒は前記ブラケット側連結穴または前記保持台側連結穴の少なくとも一方とは径方向に空隙を有することを特徴とする請求項１に記載の傘除水機。
【請求項３】
前記連結部は、前記ブラケットと前記保持台を連結する弾性体を備えていることを特徴とする請求項１に記載の傘除水機。
【請求項４】
前記連結部は、自在継ぎ手であることを特徴とする請求項１に記載の傘除水機。
【発明の詳細な説明】
【技術分野】
【０００１】
本発明は傘に付着した水滴を除去する傘除水機に関するものである。
【背景技術】
【０００２】
従来の傘除水機においては、傘の長さに応じて傘の石突を保持することで傘先端の位置を確保し水滴を除去するものとして例えば特開平７−３２４８５９号公報に開示されている。開示された傘除水機では、プラスチック脱水ドラムの上端にガイドレールを介して設けた傘の長さによって調整される石突先端ストッパーが設けられ、傘の石突を石突先端ストッパーに差し込みそのまま押し込むと、脱水ドラム内壁に装着したガイドレールに沿って石突先端ストッパーが脱水ドラム下部に移動し傘の長さのみ脱水ドラムに入るため、傘の長さが異なっても対応でき傘先端の位置を確保して傘を除水することができる。
【先行技術文献】
【特許文献】
【０００３】
特開平７−３２４８５９号公報（２頁、第１図−第３図）
【発明の概要】
【発明が解決しようとする課題】
【０００４】
しかし、従来の傘除水機においては、傘が鉛直方向に挿入されガイドレールと平行な方向（鉛直方向）に石突先端ストッパーが押されれば問題はないが、傘が斜めに挿入され石突先端ストッパーが斜めに押されると、複数あるガイドレール上での石突先端ストッパーの移動量に差が生じ、石突先端ストッパーが水平状態から傾いてしまうため、複数あるガイドレール間の距離と石突先端ストッパーの距離が合わなくなり、石突先端ストッパーが多少傾いただけでも石突先端ストッパーがスムーズに移動できなくなるという問題点があった。また、ガイドレールと石突先端ストッパーの移動時の摩擦力は各々のガイドレールでバラツキがあるため各ガイドレールで石突先端ストッパーの移動量に差が生じやすい。傘をゆっくり鉛直に挿入すれば各移動量の差はほとんどないので問題はないが、傘を速く押し込むと各移動量の差が大きくなり石突先端ストッパーが傾いてしまうため、同様に石突先端ストッパーがスムーズに動かなくなってしまうという問題点もあった。また、製造ばらつきにより、複数あるガイドレール間の寸法と石突先端ストッパーの寸法に差が生じた場合にも石突先端ストッパーがスムーズに動くことができないため、部品寸法精度や組立て精度を高精度にする必要がありコストが高くなるという問題点もあった。
【０００５】
この発明は、上述のような課題を解決するためになされたもので、その目的は、使用時において使用者による傘除水機への傘の挿入姿勢や挿入速度が変わっても石突先端ストッパーの動作不具合がなく、傘の挿入状態に影響されない使い勝手のよい傘除水機を得るものである。
【課題を解決するための手段】
【０００６】
この発明に係る傘除水機においては、本体の上部に設けられ窄められた状態の傘を挿入する傘挿入口と、本体内に傘挿入口の近傍から本体内の奥に向かって設けられた複数のレールに沿って移動する複数のブラケットと、ブラケットとの相対位置を可変できる連結部を介して連結され複数のブラケットと一体で連動する保持台と、保持台に設けられ傘挿入口から挿入される傘の石突を受けるとともに傘挿入口の近傍から本体内の奥へ移動する石突保持部と、傘挿入口から挿入された傘に向かって空気を噴出するノズルとを備えたものである。
【発明の効果】
【０００７】
この発明は、使用時において傘除水機への傘の挿入姿勢や挿入速度などの傘の挿入状態に影響されることなく、挿入される傘の長さに応じて石突保持部がスムーズに動き傘の石突を保持する傘除水機を得ることができる。
【図面の簡単な説明】
【０００８】
【図１】この発明の実施の形態１を示す傘除水機の側面断面図である。
【図２】この発明の実施の形態１を示す傘除水機の側面断面図である。
【図３】この発明の実施の形態１を示す傘除水機の正面部分断面図である。
【図４】この発明の実施の形態１を示す傘除水機の上面部分断面図である。
【図５】この発明の実施の形態１を示す傘除水機の上面部分拡大図である。
【図６】この発明の実施の形態１を示す傘除水機の背面部分断面図である。
【図７】この発明の実施の形態１を示す傘除水機の傘除水時の外観斜視図である。
【図８】この発明の実施の形態１を示す傘除水機の本体の上部を開いた状態の外観斜視図である。
【図９】この発明の実施の形態１を示す傘除水機の傘の挿入動作を説明する説明図である。
【図１０】この発明の実施の形態２を示す傘除水機の正面部分断面図である。
【図１１】この発明の実施の形態３を示す傘除水機の正面部分断面図である。
【発明を実施するための形態】
【０００９】
実施の形態１．
【００１０】
図１はこの発明を実施するための実施の形態１における傘除水機の側面断面図である。最初に傘除水機によって水滴を除去される傘１について説明する。代表的な傘１は、中棒１ａ、手元（持ち手部）１ｂ、石突１ｃ、親骨１ｄ、傘布１ｅを有して構成される。中棒１ａは、その両端に手元１ｂと石突１ｃとが取り付けられて、傘１の中心に位置する軸部材である。手元１ｂは傘１の利用者が持つ持ち手部分（柄）である。石突１ｃは、傘１の先端に取り付けられて傘布１ｅをまとめる機能を有する。親骨１ｄは中棒１ａの石突１ｃ近傍に複数本軸支されている。傘布１ｅは親骨１ｄの間を覆う布状の部材である。親骨１ｄの先端（自由端）側を露先１ｆという。なお、傘の開閉機構等についての詳細な説明は省略する。この発明において、傘布１ｅのおもて面とは、傘１を差した場合に雨を受ける面のことであり、傘１を窄めた状態においては外側を向く面のことである。
【００１１】
次に傘除水機について説明する。傘除水機２は、その外郭を形成し金属の薄板や合成樹脂等で構成される本体３と、本体３の上部には傾斜部３ａを設け、その傾斜部３ａに斜め上方に略円形に開口し窄めた状態の傘１を出し入れするための傘挿入口４と、傘挿入口４から窄めた状態で挿入された傘１を収納し傘布１ｅに付着している水滴を除水するための除水室５と、除水室５の下方には除水するために高圧空気を発生させる送気室６が設けられ、本体３の底部には除水された水滴を排水するための排水室７が設けられている。傘挿入口４の水平方向に対する開口角度θは、θ≒４５°で、本体３の上面で傘挿入口４の近傍には傘挿入口４より小さな開口で除水時に傘１の中棒１ａまたは手元１ｂの直線部分を回転可能に保持する上部保持部８と上部保持部８と傘挿入口４を連通させる連通部９が設けられている（ここでの開口角度θとは、傘挿入口４の開口外周を概ね通る平面に対する垂直方向である開口方向が水平方向となす角度を指す）。また、送気室６は隔壁３ｂにより除水室５と区画され、送気室６の内部には高圧空気を発生させるブロワ１０が設けられ、隔壁３ｂには除水室５と送気室６とを連通させる楕円形または円形または長円形の開口をもつノズル１１（高速空気噴出部）が設けられ、ブロワ１０で生成された高圧空気を高速空気に変換して除水室５内に噴出させる。なお、なお、傾斜部３ａは平面でなくても曲面形状でもよい。
【００１２】
除水室５には傘挿入口４より挿入された傘１の先端である石突１ｃを収容し回転可能に保持する凹形状の石突保持部１２が設けられ、傘挿入口４より挿入された傘１は、除水室５へ挿入完了後、傘１の手元１ｂの直線部または中棒１ａを、連通部９を経由して上部固定部８へ移動させることで、ほぼ鉛直方向に姿勢が変化して石突保持部１２と上部保持部８を結ぶ直線である回転中心軸Ａを概ね中心に回転可能に保持される（以降、この回転中心軸Ａに傘が回転可能に軸支持され保持されている状態を除水姿勢と呼ぶ）。したがって、概ね回転中心軸Ａ上で傘１を３６０°回転することができる。なお、傘１の種類によって中棒１ａや手元１ｂや石突１ｃの太さが異なり、多数の種類の傘１を回転可能に保持するために、上部保持部８は中棒１ａや手元１ｂの太さより大きくし、石突保持部１２も石突１ｃの太さより大きくして余裕を設けている。したがって上部保持部８と石突保持部１２で傘１を回転可能に保持している除水姿勢時は、正確にはその余裕の範囲で傘１が回転中心軸Ａより僅かに傾くが、除水性能には全く影響せず、この僅かな傾きも含めて回転中心軸Ａとする。また本体３の内側で傘挿入口４の周辺には傘挿入口４に向かってテーパ部１３が設けられており、傘１を傘挿入口４から抜取るときに、露先１ｆが引っかからずに傘挿入口４の外に滑って出てくるようにしている。
【００１３】
図１内の矢印は、傘布１ｅを除水する場合のノズル１１から噴出された高速空気の流れを示す。ノズル１１の空気噴出方向と回転中心軸Ａはほぼ平行であり、除水時には、高速空気はノズル１１から除水姿勢の傘１の石突１ｃに向かって回転中心軸Ａにほぼ平行に噴出され、石突１ｃ側から露先１ｆ側に向かって流れ、傘布１ｅのおもて面に付着した水滴を吹き飛ばして除水する。空気噴出方向と対向する本体３の上面内側には衝突した高速空気の一部の風向きを変え傘布１ｅの内部へ空気を送り込むための突起５０が設けられている。傘布１ｅ内部へ空気が送り込まれることで傘布１ｅが膨らみ、窄められた状態の傘１の襞状の折り重なった傘布１ｅの重なりが解消され、傘布１ｅ全体に高速空気を吹き付けることができ除水性能を向上させている。除水姿勢時のノズル１１の噴出し方向と傘１を回転可能に固定される回転中心軸Ａとの距離ＬはＬ＝１０〜１００ｍｍの範囲内で、ノズル１１から噴出される高速空気流には多少の広がりを持たせることで、石突１ｃから露先１ｆに至るまで傘布１ｅ全体に高速空気を十分に当てることができるようになっている。
【００１４】
石突保持部１２は、石突１ｃの大きさに比べて大きな凹形状で、その中心である底部１２ａ（図２参照）と、底部１２ａに向かって傾斜し細くなる窄まり部１２ｂのあるすり鉢状の形状で、傘１を挿入していく過程において自然に石突保持部１２の中心位置である底部１２ａに石突１ｃが位置されるようになっている。そのため傘１を挿入したとき、特段の注意をはらわなくても石突１ｃを石突保持部１２で受けることができ、除水姿勢時には自然に石突保持部１２の中心である底部１２ａに石突１ｃを位置させることができる。また石突保持部１２にはノズル１１に面する側の凹形状の壁のみノズル１１からの空気噴出方向と平行な形状で他の凹形状の壁である窄まり部１２ｂに比べ急角度で立ち上げた立上部１２ｃ（図２参照）があり、石突保持部１２の中心からの外形寸法を小さくすることで、ノズル１１からの噴流が石突保持部１２で邪魔されることなく傘布１ｅに当てている。なお、石突保持部１２は基本的には傘１の石突１ｃを回転可能に保持できればいいので、穴形状であってもよい。
【００１５】
ノズル１１の位置は、傘挿入口４側からみて、除水姿勢の回転中心軸Ａよりも奥に設けられている。また、ノズル１１からの高速空気の噴出方向の延長上に傘挿入口４や連通部９が位置しないように設けられ、ノズル１１からの高速空気の噴出方向が傘挿入口４や連通部９の開口に直接向かないように配置されている。また、ノズル１１の上部先端はブロワ１０設置位置よりも低い位置に設けられているため、万が一ノズル１１から多量の水が浸入して送気室６内に水が充満しても、ノズル１１の高さ以上には水が溜まらないので、ブロワ１０が浸水することはない。
【００１６】
本体３の底部の排水室７には排水タンク１４が配置されている。除水室５内には傘布１ｅから吹き飛んだ水滴が排水タンク１４へと誘導されるガイド（図示せず）や傾斜が設けられている。ノズル１１から噴出された高速空気によって傘布１ｅから吹き飛ばされた水滴は除水室５内の側壁や隔壁３ｂなどに付着するが、水滴径が一定以上の大きさに達すると本体３の底部に向かって自然に流下し、ガイドや傾斜に沿い排水タンク１４に向けて落下する。排水タンク１４に水が溜まった場合には、排水タンク１４を傘除水機２から取り出して溜まった水を捨てることができる。この実施の形態１においては、製品正面（使用者側の面）から排水タンク１４を取出すことができる構成であるが、側面や背面から取出す構造としてもよい。また傘布１ｅから吹き飛ばされた水滴を排水タンク１４に一旦溜めているが、排水ポンプと排水管などを接続し、水滴を溜めることなく傘除水機２の外へ直接排水できるようにしてもよい。排水タンク１４に溜まった水をわざわざ捨てる必要がなくなり便利である。また、超音波霧化またはヒータまたはブロワ１０の排熱を利用した蒸発や、送風による気化促進により水分を傘除水機２外へ排出するようにしてもよい。排水タンク１４に溜まる水量を減少させることができ、水を捨てる作業の頻度を少なくすることができる。
【００１７】
図２は、この発明を実施するための実施の形態１における傘除水機２の側面断面図で、石突保持部１２の動きを説明するための説明図で、図２の中のａは傘１がまだ傘挿入口４に挿入されていない状態（以降、待機状態と呼ぶ）の状態を示し、図２の中のｂは傘１が挿入された除水姿勢時の状態を示している（図を見やすくするため傘１は省略してある）。図３はこの発明を実施するための実施の形態１における傘除水機２の正面部分断面図で、図２の中のｂの回転中心軸Ａを通る石突保持部１２周辺の正面部分断面図で、傘用ガイドレール１５に沿った可動部を説明するための説明図である。図４は、この発明を実施するための実施の形態１における傘除水機２の上面部分透視図で、図３の上面から見た透視図で、図２と同様に傘用ガイドレール１５に沿った可動部を説明するための説明図である。石突保持部１２や可動部の動きの説明に不要な部分については、省略してある。図２および図３および図４において、本体３の両側面の内面には一対の傘用ガイドレール１５と一対のおもり用ガイドレール１６が対向して各々設けられている。また除水姿勢の回転中心軸Ａがノズル１１の空気噴出方向と概ね平行で、傘用ガイドレール１５も直線状でノズル１１の空気噴出方向と概ね平行となるように設けられている。本体３の両側面の内側に対向して設けられた傘用ガイドレール１５には、それぞれ傘用ブラケット１７が取り付けられ、傘用ガイドレール１５に沿って移動可能である。
【００１８】
各傘用ブラケット１７には傘用ガイドレール１５と反対側の一部に、ほぼ水平方向に伸びる板状の突起１７ａが設けられ、その板状の突起１７ａにはブラケット側連結穴１７ｂが設けられている。保持台１８には長手方向の両側に保持台側連結穴１８ａが設けられ、傘用ブラケット１７と保持台１８がブラケット側連結穴１７ｂと保持台側連結穴１８ａの位置が同じになるように重ねられ、ブラケット側連結穴１７ｂと保持台側連結穴１８ａに連結棒３０が差し込まれ連結されている。連結棒３０はブラケット側連結穴１７ｂ及び保持台側連結穴１８ａより直径が大きい頭部３０ａとブラケット側連結穴１７ｂ及び保持台側連結穴１８ａより直径が小さいストレート部３０ｂで構成され、ストレート部３０ｂには頭部３０ａと反対側でブラケット側連結穴１７ｂと保持台側連結穴１８ａを貫通して差し込んだときに頭部３０ａと反対側の露出する位置に、連結棒３０の軸方向と直行する方向にピン固定穴３０ｃが設けられており、傘用ブラケット１７と保持台１８のブラケット側連結穴１７ｂと保持台側連結穴１８ａに連結棒３０を差し込んだ後、ピン固定穴３０ｃにブラケット側連結穴１７及び保持台側連結穴１８ａより大きい固定ピン３１を取り付けることで、差し込まれた連結棒３０の外れを防止し、連結棒３０の軸方向の両側に設けられた頭部３０ａ及びピン固定穴３０ｃ及び固定ピン３１が脱落防止部として機能する。そのため、本体３の両側面の内側に対向して設けられた一対の傘用ガイドレール１５に沿って一対の傘用ブラケット１７と保持台１８は一体で連動することができる。
【００１９】
また、ブラケット側連結穴１７ｂ及び保持台側連結穴１８ａは円形又は楕円形又は長円形で、ブラケット側連結穴１７ｂ及び保持台側連結穴１８ａの少なくとも一方は連結棒３０のストレート部３０ａが差し込まれても径方向に空隙５１ができるように余裕をもって大きくしてあるので、傘用ブラケット１７と保持台１８は連結棒３０のストレート部３０ａとブラケット側連結穴１７ｂ又は保持台側連結穴１８ａとの間の空隙５１の隙間分だけ相対位置を自由に変化させることができ、ブラケット側連結穴１７ｂと保持台側連結穴１８ａと連結棒３０と空隙５１は傘用ブラケット１７と保持台１８との相対位置を可変できる連結部として機能する。一つの連結部には保持台１８の長手方向と概ね直交する方向の２ヵ所において、ブラケット側連結穴１７ｂと保持台側連結穴１８ａと連結棒３０と固定ピン３１が設けられて連結されているので、連結棒３０のストレート部３０ａとブラケット側連結穴１７ｂ又は保持台側連結穴１８ａとの隙間による保持台１８の長手方向と直交する方向への大きな傾斜を防止でき、石突保持部１２の向きを安定させることができる。
【００２０】
石突保持部１２は保持台１８のほぼ中央に石突保持部１２の向きを変更させる石突保持部向変更手段としての蝶番１９を介して締結されており、傘用ブラケット１７、保持台１８とともに傘用ガイドレール１５に沿って移動可能となっている。石突保持部１２の側面で傘挿入口４側の位置には金属片２０を備え、重心が蝶番１９の回転軸よりも傘挿入口４側となっており、待機状態においては、保持台１８上で蝶番１９の回転軸を中心として傘挿入口４側に自然に倒れ、石突保持部の凹形状が傘挿入口４にほぼ正対している。なお、一体となって傘用ガイドレール１５に沿って移動する石突保持部１２、傘用ブラケット１７、保持台１８、蝶番１９をまとめて移動部と呼称する。また、傘用ガイドレール１５と傘用ガイドレール１５に沿って移動する傘用ブラケット１７と保持台１８は石突保持部１２を移動させることができる移動手段として機能する。
【００２１】
本体３の両側面の内面に対向して設けられたおもり用ガイドレール１６には、それぞれおもり用ブラケット２１が取り付けられ、おもり用ブラケット２１にはおもり２２が設けられ、一体となっておもり用ガイドレール１６上を移動する。傘用ブラケット１７とおもり２２とがケーブル２３により滑車２４を介して連結されている。従って、傘用ブラケット１７の動きとおもり２２の動きは連動し、例えば、おもり２２が下方に移動すれば、傘用ブラケット１７を含む移動部は上方に移動する。
【００２２】
おもり２２の重さは、傘用ブラケット１７、保持台１８、石突保持部１２等の自重により傘用ガイドレール１５の下方に移動しようとする力よりも、おもり用ブラケット２１、おもり２２自重によりおもり２２が下方に移動しようとする力の方が大きくなるように調節されている。おもり２２が下方に移動することで移動部は上方へ移動し傘用ガイドレール１５上端部に設けられたストッパー（図示せず）の位置で停止する。石突保持部１２の移動や姿勢変化をおもり２２と金属片２０の重力作用により行っているため、構造が簡単で電気的な駆動を必要とせず消費電力の抑制や製造コストの抑制を図ることができる。図２のａの待機状態では、石突保持部１２が傘挿入口４とほぼ正対して傘挿入口４の開口部の大部分を石突保持部１２で覆っている。使用者は傘挿入口４から石突１ｃを挿入しさえすれば、石突保持部１２の中心位置に石突１ｃを位置させることができ、石突１ｃによる力で石突保持部１２は上向きに（回転中心軸Ａの方向）に向きが変わる。傘１の挿入にともなって石突保持部１２が傘１の石突１ｃ等で押し込まれれば、石突保持部１２に傘１の石突１ｃが接触したまま、おもり２２による付勢力に抗して石突保持部１２が押し下げられる。なお、おもり２２の重さは、傘１が露先１ｆまで挿入された状態において、石突保持部１２が挿入されている傘１を自然に持ち上げ上方へ移動させてしまうことのない重さに調節されている。図２のｂの除水状態では（傘１は省略してある）、図石突保持部１２の向きは除水姿勢では上部保持部８と正対する向きになっている。
【００２３】
図５は、この発明を実施するための実施の形態１における傘除水機２の上部保持部８付近の上面部分拡大図である。一般的な中棒１ａの下限はφ１０ｍｍ程度であり、手元１ｂの上限はφ２５ｍｍ程度である（ただし、折りたたみ傘を除く）ため、上部保持部８の大きさをφ３０ｍｍ程度の円筒が入る大きさとし、上部保持部８の連通部９側には板バネなどを用いて開口幅を可変できる凸部８ａを設け、フリー状態では凸部開口幅Ｂは１０ｍｍ以下であるが力を加えれば３０ｍｍ程度まで開口幅が大きくなるように構成すれば、さまざまな径を持つ傘でも凸部８ａを通過させ除水時に上部保持部８で回転可能に軸支持し除水姿勢に保持することができる。連通部９の開口幅Ｃは、上部保持部８と同等の３０ｍｍ程度としても良いし、傘挿入口４から上部保持部８への移動を容易にするため、例えば４０ｍｍ程度まで広くしても問題なく、また連通部９の傘挿入口４付近を４０ｍｍで上部保持部８付近を３０ｍｍにして除々に幅を狭めてもよい。上部保持部８はノズル１１の空気噴出軸の延長上の近傍に設けられている。
【００２４】
図６は、この発明を実施するための実施の形態１における傘除水機２の送気室６付近の背面から見た部分断面図である。本体３の側面には外部の空気を吸い込む吸込口２５が形成され、送気室６内のブロワ１０の吸い込み側につながっている。ブロワ１０が運転状態になると、ブロワ１０の作用により、吸込口２５から空気が取り込まれる。吸込口２５にはエアフィルタ（集塵手段）２６が設けられ吸込口２５から取り込まれる空気から埃やゴミ等の異物を取り除き、傘除水機２内部の汚れや故障を防止する。またブロワ１０の吸込側周辺には吸音材２７が貼り付けられ、ブロワの騒音や通過する空気によって生じる騒音が吸込口２５から外部に漏れるのを抑える。ブロワ１０は、防振機能を持ち合わせたパッキン２８と防振部材２９とによって挟持されている。そのためブロワ１０の運転時、ブロワ１０の吸込口に対しブロワ１０の噴出し側は高圧となるが、パッキン２８により高圧側から低圧側への空気漏れを防止しするとともに、ブロワ１０の運転による振動をパッキン２８及び防振部材２９によって吸収して傘除水機２への振動の伝播を防止し、傘除水機２の振動による騒音の発生を抑制することができる。
【００２５】
図７は、この発明を実施するための実施の形態１における傘除水機２の傘除水時の外観斜視図であり、図８は傘除水機２の本体３の上部を開いた状態の外観斜視図である。図７に示すように上部保持部８と連通部９とは本体３の一部として開閉可能に締結された本体の蓋部３ｃに設けられており、図８に示すように開閉可能なので、除水作業中に何らかの原因でジャンプ傘の開閉機構が誤動作し、傘が開いてしまったなど傘が抜き出せなくなった場合や、物を落としたり、故意に物を落とされた場合などに容易に取出しが可能であり、また除水室５内の清掃や部品交換などメンテナンスも容易に行うことできる。
【００２６】
次に、傘除水機２の動作について説明する。図９は、この発明を実施するための実施の形態１における傘除水機２の傘１の挿入動作を説明する側面断面の説明図であり、図９のａは傘１の挿入開始時を示し、図９のｂは挿入途中を示し、図９のｃは挿入完了時を示し、図９のｄは除水時の除水姿勢を示している。図９において、使用者が濡れた傘１を窄めた状態で傘挿入口４から傘１を挿入し、石突１ｃを石突保持部１２に挿入する（図９のａ）。図９では傘挿入口４の開口方向である水平面に対し４５°の方向から傘１を挿入しているが、石突保持部１２の高さが傘挿入口４とほぼ同じ高さに位置し、石突保持部１２が傘挿入口４に向いて傾斜し、すり鉢状の石突保持部１２の傘挿入口４側の側面がほぼ水平であるため、使用者が普通に動作したとき傘１を挿入しやすい水平面に対し概ね０〜４５°の範囲では石突保持部１２の底面１２ａまで石突１ｃを突き当てることができる。また、水平面に対し４５°〜９０°で挿入されても石突保持部の底面１２ａには直接当てる事はできないが石突保持部１２の凹形状で傘１の石突１ｃを受けることができる。したがって水平面に対し概ね０°〜９０°の挿入角度に対応することができ、使用者の背の高さや傘１の長さに応じて、使い勝手のよい角度で挿入可能である。
【００２７】
傘１を除水室５内へ挿入していくと、親骨１ｄと傘布１ｅは傘挿入口４の径にあわせて中棒１ａの方向へ更に窄まる（図９のｂ）。傘挿入口４にから傘１の露先１ｆまでが除水室５内に収まるまで挿入した後（図９のｃ）、傘１の手元１ｂの直線部または中棒１ａを、連通部９および凸部８ａを経由して上部保持部８へ移動させることで、傘１はノズル１１から所定の距離を隔てた位置に上部保持部８と石突保持部１２で回転可能に軸支され、除水姿勢に保持される（図９のｄ）。傘１を挿入するとともに石突保持部１２が傘用ガイドレール１５に沿って鉛直下方へと移動した時点で自然に除水姿勢（床面に対して９０°）に近づいているため、除水姿勢に近づいた傘１を上部保持部８へ移動させる動作は極めて容易に短時間で行うことができる。
【００２８】
使用者が傘除水機２の運転スイッチ（図示せず）を押すとブロワ１０が動作し、ブロワ１０の内部に保持されたファン（図示せず。）が回転し、吸込口２５から空気が吸込まれブロワ１０により高圧空気が生成される。ブロワ１０から吐出される空気量に比べてノズル１１の開口面積が小さいためノズル１１から除水室５に高速空気が噴出される。ノズル１１から除水室５に噴出された高速空気は傘１の石突１ｃ側から露先１ｆ側に向かって流れ傘布１ｅのおもて面に付着した水滴を吹き飛ばす。使用者が本体３の外部に突出している傘１の手元１ｂを３６０°回転させることで、回転中心軸Ａ上で傘が回転し、傘布１ｅ全体に付着した水滴を高速空気で吹き飛ばすことができる。
【００２９】
傘布１ｅの水滴除去が終了し、使用者が傘除水機２の停止スイッチ（図示せず）を押すと、ブロワ１０の動作が停止する。使用者は傘の手元１ｂを持ったまま傘挿入口４へ戻し、傘１を傘挿入口４から抜取る方向へ引くと傘挿入口４の内部に設けられたテーパ部１３により露先１ｆが中棒１ａに向かってすぼまり、傘挿入口４より傘１を容易に抜取ることができる。傘１の引き抜きにともない、移動部はおもり２２に付勢されて上方へ移動し、完全に抜き取られると石突保持部１２は傘用ガイドレール１５に沿って可動範囲の上端まで移動し、金属片２０により傘挿入口４側へ傾き待機状態へと復帰する。
【００３０】
以上の構成によれば、傘１が傘用ガイドレール１５と平行でない方向に挿入されたとき、挿入された傘１により保持台１８が傘用ガイドレール１５と平行でない方向に押され（石突保持部１２が斜めに押され）複数ある傘用ガイドレール１５上での傘用ブラケット１７の移動量に差が生じる場合や、傘１が傘用ガイドレール１５と平行な方向に挿入されても（鉛直に傘を挿入されても）傘１の挿入速度が速いとき、複数ある傘用ガイドレール１５と傘用ブラケット１７との移動時の摩擦力の差により複数の傘用ブラケット１７の各移動量に差が生じる場合、などで保持台１８が傘用ガイドレール１５に対して垂直を維持できず傾いてしまっても、相対位置を可変できる連結部として機能するブラケット側連結穴１７ｂと保持台側連結穴１８ａと連結棒３０と空隙５１により、傘用ブラケット１７と保持台１８との相対位置が保持台１８の斜めの状態に合わせて伸縮などで自然にずれるため、使用者による傘の挿入状態に影響されることなく常に傘用ブラケット１７と保持台１８が一体でスムーズに移動することができ、保持台１８に設けられた石突保持部１２は傘１の石突１ｃを受けながら傘１の長さに合わせてスムーズに移動でき使い勝手の良い傘除水機を得ることができる。
【００３１】
また、製造ばらつきにより、複数のガイドレール１５の相互の間の寸法や保持台１８の寸法が変動しても相対位置を可変できる連結部として機能するブラケット側連結穴１７ｂと保持台側連結穴１８ａと連結棒３０と空隙５１により、傘用ブラケット１７と保持台１８との相対位置を寸法の変動分だけずらすことができるため、傘用ブラケット１７と保持台１８を一体でスムーズに移動することができ、部品寸法精度や組立て精度を高精度にする必要がなくコストを低減することができる。
【００３２】
また、傘１が未挿入である待機状態では凹形状の石突保持部１２が傘挿入口４の近傍で傘挿入口４に向かって正対しているため、使用者が簡単に目視して傘１の石突１ｃを石突保持部１２に挿入することができ使い勝手がよい。また待機状態で傘挿入口４に正対していた石突保持部１２が、挿入される傘１により除水姿勢では上部保持部８に正対して回転中心軸Ａの軸方向に向いているため、挿入時と除水時の傘の姿勢が変化しても、除水時に傘１が回転中心軸Ａを中心に３６０°回転しても、石突保持部の凹形状の向きが傘に向かっているので石突１ｃが石突保持部１２から外れることがなく、除水時にノズル１１に対し傘１を所定の位置（距離Ｌ）に安定して確保し、傘１の石突１ｃ付近から露先１ｆに向かって高速空気を当てることができるので、傘１の石突１ｃ付近から露先１ｆまでの傘布１ｅ全体の除水を効率的に行うことができる。
【００３３】
また、石突保持部１２は凹形状を傘の石突１ｃより十分大きいので使用者が傘の石突１ｃを石突保持部１２に挿入するとき、多少位置がずれても石突保持部１２から外れることもなく、さらに凹形状を中心部に向かって窄まり部１２ｂをもった先細りのすり鉢形状とすることで、自然に石突保持部１２の中心に傘の石突１ｃが配置されるため、石突保持部１２が大きくなっても除水時にノズル１１に対し傘１を所定の位置（距離Ｌ）に確保できるため、使用者の使い勝手が向上するともともに傘の除水を効率的に行うことができる。
【００３４】
また、石突保持部１２の凹形状を傘挿入口４の開口と同等程度の大きさにして傘挿入口４近傍に正対させているので、使用者がどのように傘１を挿入しても石突保持部１２で石突１ｃを受けることができ、更に使い勝手を向上させることができる。
【００３５】
また、待機状態に石突保持部１２が傘挿入口４とほぼ同じ高さに位置し傘挿入口４の口元近傍にあるため、水平面に対し概ね０°〜９０°の挿入角度範囲まで傘を挿入することができ、使用者の背の高さや傘１の長さに応じて、任意に使い勝手のよい角度で挿入することができる。
【００３６】
また、石突保持部１２はノズル１１に面する側の凹形状の壁のみノズル１１からの空気噴出方向と平行な形状で他の凹形状の壁に比べ急角度で立ち上げた立上部１２ｃ設け、石突保持部１２の中心からの外形寸法を小さくすることで、傘の姿勢変化による石突保持部１２からの石突１ｃの外れ防止を実現するとともにノズル１１からの噴流が石突保持部１２で邪魔されることなく石突１ｃ付近に当てることができ、傘１の石突１ｃ付近から露先１ｆまでの傘布１ｅ全体の除水を効率的に行うことができる。
【００３７】
また、ノズル１１の噴出方向とガイドレール１５の方向と回転中心軸Ａが概ね平行に設けられ、傘用ガイドレール１５に沿って石突保持部１２が移動可能に構成されているので、傘１の長さが変わっても除水時にノズル１１に対し傘１を所定の位置（距離Ｌ）を保つとともに、傘１に対して常にほぼ平行にノズル１１からの高速空気を当てることができる。そのため石突１ｃ付近から傘１に平行に露先１ｆに向かってノズル１１からの高速空気を当てることができるので、傘布１ｅの折りたたまれた襞状の間にその折り方向に沿ってノズル１１からの高速空気を当てることができ、傘の長さに影響されることなく常に傘布１ｅ全体に対し良好な除水性能を得ることができる。
【００３８】
また、傘１を除水室５へ挿入していく過程において、自然に傘１を除水姿勢に近い姿勢に変化させる（傘の角度が鉛直方向に近づく）ことができるため、除水姿勢への動作を極めて簡便に短時間で行うことができる。傘１を挿入姿勢から除水姿勢へ変更する動作を使用者の簡易的な動作で実現することにより、姿勢変更のための構造や部品が不要となり姿勢変化に伴う電力も不要で、傘除水機２の消費電力の抑制や構造の簡素化による長期信頼性確保や製造コストの抑制を図ることができる。
【００３９】
また、傘１を傘除水機２の正面斜め上方から挿入し、除水姿勢をほぼ鉛直方向とすることで、上方からの挿入に比べ使用者が傘１を挿入しやすいとともに、傘挿入口４から使用者への水滴の飛散を防止でき、除水する姿勢が水平方向の傘除水機に比べ、設置の占有床面積を小さくすることができる。
【００４０】
また、傘挿入口４が斜め上方向きに開口し、傘挿入口４の下端は上部保持部８よりも下方に位置するため、使用者は除水作業中の傘布１ｅの除水状態を傘挿入口４から目視しながら使用することができ、除水状態を確認しながら使用することができる。
【００４１】
また、ノズル１１の位置は、傘挿入口４側からみて、除水姿勢の回転中心軸Ａよりも奥になっているため、除水時に傘挿入口４とノズル１１との間に傘１があるので傘１が遮壁の役割を果たすこととなり、傘１から吹き飛ばされた水滴が傘挿入口４や連通部９へ飛散することを防止し、傘挿入口４や連通部９からの水滴噴出しを防止している。傘１の中心軸に対してノズル１１と傘挿入口４が１８０°反対の位置ではなくても傘をたたんだ状態で傘布１ｅの内側に空気が入り膨らんで広がる状態の傘布１ｅが傘挿入口４とノズル１１との間にあれば、同様の効果が得られる。またノズル１１からの高速空気の噴出方向の延長上に傘挿入口４や連通部９の開口がないため、傘挿入口４や連通部９に直接水滴が向かわないようにすることができ、更に除水時に使用者への水滴がかかることを効果的に防ぐことができる。
【００４２】
なお、この実施の形態１では、傘挿入口４を円形としているがこれに限られず、楕円形や多角形であっても問題はない。
【００４３】
また、ノズル１１を１ヶ所としているがこれに限られず、除水時に傘挿入口４とノズル１１との間に傘１があれば複数のノズル１１を配置してもよく、複数のノズル１１の開口形状・開口面積・長さを同一とはせず、傘布１ｅのどの位置を狙うかによって寸法・形状を変更してもよい。
【００４４】
また、本実施の形態１では、付勢手段としておもり２２を用いているがこれに限らず、バネや油圧ダンパを用いてもよい。
【００４５】
また、本体３内に傘用ガイドレール１５およびおもり用ガイドレール１６を設置しているが、これらに水滴付着を防止するカバーを設けてもよい。傘布１ｅから飛散した水滴が傘用ガイドレール１５およびおもり用ガイドレール１６に付着することを防止することができ、動作不良のない長期信頼性のある傘除水機を得ることができる。
【００４６】
また、連通部４の幅方向へ可動する凸部８ａとして板ばねを使用しているがこれに限られず、連通部４の幅方向へ可動し傘１の中棒１ａまたは手元１ｂが通過できる別の機構部品でもよい。
【００４７】
また、傘挿入口４の内側に設けるテーパ部１３の形状を一様なテーパ角度としているがこれに限られず、角度を徐変させてもよい。また、テーパ部１３を本体３とは別の部品で構成し、この部分のみ表面が極めて滑らかな材質で製造してもよく、傘１の抜き取り操作を更に容易することができる。
【００４８】
また、石突保持部１２に金属片２０を設けて重心を調整しているがこれに限られず、石突保持部１２の形状や肉厚に偏りを持たせれば金属片２０を廃止することもできる。また、石突保持部１２と保持台１８の間に可動性のばねを設け蝶番１９も同時に廃止してもよい。
【００４９】
また、レールに沿って石突保持部１２を移動させる手段として、傘用ブラケット１７に車輪を設け傘用ガイドレール１５に沿って車輪が移動するガイドレール１５と車輪の機構でよいが、傘用ガイドレール１５をシリンダーに置き換え、ピストン上に傘用ブラケット１７を設けシリンダーとピストンによる機構でもよい。また、平行四辺形で伸縮するパンタグラフ形状のリンク機構を用いて、パンタグラフ上に傘用ブラケット１７を設けてもよい。従って、本発明のレールに沿って石突保持部１２を移動させる手段とは、ガイドレール１５と車輪の機構やシリンダーとピストンの機構や平行四辺形で伸縮するパンタグラフ形状のリンク機構など移動させる機構全般を表し、ガイドレールと車輪の機構に限定するものではない。また、おもり用ガイドレール１６とおもり用ブラケット２１も同様である。
【００５０】
また、突起１７ａは傘用ブラケット１７と一体であるが、断面がＬ字形状などの別部品で構成し傘用ブラケット１７に固定してもよい。また、連結部は傘用ブラケット１７と保持台１８との複数ある連結部の中で少なくとも１ヶ所だけに設けるだけでもよい。また、１つの連結部に対応するブラケット側連結穴１７ｂや保持台側連結穴１８ａは各々１ヶ所でもよい。
【００５１】
また、傘用ガイドレール１５は本体の側面の内側に対向して２つ設けられているが、それ以上設けてもうよく、例えば本体３の側面が円筒形の場合で、側面内側に１２０°ごとに全周を３等分してもよく、傘用ガイドレール１５を増やすことにより、傘用ブラケット１７と保持台１８の相対位置を可変できるとともに、増加させるほど保持台１８のガタつきを少なくすることができる。
【００５２】
実施の形態２．
図１０はこの発明の実施するための実施の形態２における傘除水機の正面部分断面図である。実施の形態１のものと同じ部分については、実施の形態１のものと同じ符号を用い、構成も動作も同じであるため説明は省略する。また、図中において説明に不要な構成部品については省略してある。各傘用ブラケット１７に設けられた突起１７ａと保持台１８とはゴム又はバネなどの弾性体３２を介して連結されており、弾性体３２が傘用ブラケット１７と保持台１８との相対位置を可変できる連結部として機能する。その他は実施の形態１と同様である。
【００５３】
以上の構成により、連結部として弾性体を用いることで実施の形態１と同様の効果があるとともに、連結部での変位方向が３次元的に可能となるので、保持台１８のより広範囲の傾き状態に対応して傘用ブラケット１７と保持台１８との相対位置をずらすことができるため傘用ブラケット１５と保持台１８が一体でスムーズに移動することができ、保持台１８に設けられた石突保持部１２もスムーズに移動でき使い勝手の良い傘除水機を得ることができる。また、ゴムやバネなどの弾性体なので、連結部に空隙を設けなくても弾性体の変形により傘用ブラケット１７と保持台１８との相対位置をずらすことができ、相対位置をずらすために空隙を設けた場合のような使用時の保持台１８のガタつきもなく、ガタつきによる騒音の発生を防止することができる。
【００５４】
実施の形態３．
図１１はこの発明の実施するための実施の形態３における傘除水機の正面部分断面図である。実施の形態１のものと同じ部分については、実施の形態１のものと同じ符号を用い、構成も動作も同じであるため説明は省略する。また、図中において説明に不要な構成部品については省略してある。各傘用ブラケット１７と保持台１８とを自在継ぎ手凸側３３ａと自在継ぎ手凹側３３ｂを介して連結されており、自在継ぎ手凸側３３ａは自在継ぎ手凹側３３ｂにはめ込まれ可動範囲内で自在に角度を変えることができ、傘用ブラケット１７と保持台１８との相対位置を可変できる連結部として機能する。その他は実施の形態１と同様である。
【００５５】
以上の構成により、連結部として自在継ぎ手を用いることで実施の形態１と同様の効果があるとともに、変位方向が３次元的に可能となるので、保持台１８の傾き状態のより広範囲に対応して傘用ブラケット１７と保持台１８との相対位置が自動にずれることができるため傘用ブラケット１５と保持台１８が一体でスムーズに移動することができ、保持台１８に設けられた石突保持部１２もスムーズに移動でき使い勝手の良い傘除水機を得ることができる。
【産業上の利用可能性】
【００５６】
傘に付着した水分を除く装置として産業上の利用可能性がある。
【符号の説明】
【００５７】
１  傘
１ａ  中棒
１ｂ  手元（持ち手部）
１ｃ  石突
１ｄ  親骨
１ｅ  傘布
１ｆ  露先
２  傘除水機
３  本体
３ａ  傾斜部
３ｂ  隔壁
３ｃ  蓋部
４  傘挿入口
５  除水室
６  送気室
７  排水室
８  上部保持部
８ａ  凸部
９  連通部
１０  ブロワ
１１  ノズル
１２  石突保持部
１２ａ  底面
１２ｂ  窄まり部
１２ｃ  立上部
１３  テーパ部
１４  排水タンク
１５  傘用ガイドレール  （移動手段）
１６  おもり用ガイドレール
１７  傘用ブラケット（移動手段）
１７ａ  突起
１７ｂ  ブラケット側連結穴（連結部）
１８  保持台
１８ａ  保持台側連結穴（連結部）
１９  蝶番  （石突保持部向変更手段）
２０  金属片
２１  おもり用ブラケット  （移動手段）
２２  おもり
２３  ケーブル
２４  滑車
２５  吸気口
２６  フィルタ
２７  吸音材
２８  パッキン
２９  防振材
３０  連結棒（連結部）
３０ａ  頭部（脱落防止部）
３０ｂ  ストレート部（連結部）
３０ｃ  ピン用固定穴（脱落防止部）
３１  固定ピン（脱落防止部）
３２  弾性体
３３ａ  自在継ぎ手凸側
３３ｂ  自在継ぎ手凹側
５０  突起部
５１  空隙
θ  開口角度
Ａ  除水姿勢の回転中心軸
Ｂ  凸部開口幅
Ｃ  開口幅
Ｌ  距離
【図１】
2011145037.tif 000003
【図２】
2011145037.tif 000004
【図３】
2011145037.tif 000005
【図４】
2011145037.tif 000006
【図５】
2011145037.tif 000007
【図６】
2011145037.tif 000008
【図７】
2011145037.tif 000009
【図８】
2011145037.tif 000010
【図９】
2011145037.tif 000011
【図１０】
2011145037.tif 000012
【図１１】
2011145037.tif 000013